【事件の表示】
　特許第６１７８０２７号発明「部分駆動型光源装置及びそれを用いた画像表示装置」の特許異議申立事件について、次のとおり決定する。
【結　論】
　特許第６１７８０２７号の特許請求の範囲を訂正請求書に添付された訂正特許請求の範囲のとおり、訂正後の請求項〔１〜１７〕について訂正することを認める。  
　特許第６１７８０２７号の請求項１、２、４〜１７に係る特許を維持する。
　特許第６１７８０２７号の請求項３に係る特許についての特許異議申立てを却下する。　
【理　由】
第１　手続の経緯  
　特許第６１７８０２７号の請求項１〜１７に係る特許についての出願は、平成２９年７月２１日に特許権の設定登録がされ、同年８月９日に特許掲載公報が発行され、その後、平成３０年１月３１日に特許異議申立人三嶋眞弘（以下「特許異議申立人」という。）より請求項１〜１７に対し特許異議の申立てがされ、同年４月２４日付けで取消理由が通知され、その指定期間内である同年６月２９日に意見書の提出及び訂正請求がされ、同年７月１０日付けで訂正請求があった旨が通知され（特許法第１２０条の５第５項）、同年８月９日に特許異議申立人より意見書が提出され、同年９月１８日付けで取消理由（決定の予告）が通知され、その指定期間内である同年１１月２６日に意見書の提出及び訂正請求がされ、同年１２月１４日付けで訂正請求があった旨が通知され（特許法第１２０条の５第５項）、平成３１年１月１６日に特許異議申立人より意見書が提出されたものである。 
 　 　  
第２　訂正の適否  
１　訂正の内容  
　平成３０年１１月２６日付けの訂正請求書による訂正（以下「本件訂正」という。）は、本件特許の特許請求の範囲を訂正請求書に添付した訂正特許請求の範囲のとおり、訂正後の請求項１〜１７について訂正することを求めるものであり、その内容は以下のとおりである（下線部は訂正箇所を示す。）。 
　なお、平成３０年６月２９日付けの訂正請求は、特許法第１２０条の５第７項の規定により取り下げられたものとみなす。　 
　
（１）訂正事項１  
　特許請求の範囲の請求項１に 
「複数の発光素子からなり、部分駆動可能な励起光源と、 
　前記励起光源と離隔して配置され、前記励起光源からの入射光の波長領域の少なくとも一部を変換して、前記入射光とは異なる波長領域の出射光を放出する蛍光体を含む蛍光体シートと、 
　前記励起光源及び前記蛍光体シートとの間に配置され、前記励起光源からの前記入射光の波長領域の少なくとも一部の光を透過するとともに、前記蛍光体シートからの前記出射光の波長領域の少なくとも一部の光を反射する波長選択性反射膜と、 
　前記励起光源及び前記波長選択性反射膜の間に位置する拡散板と、 
　前記蛍光体シートの上方に設けられた光学フィルム群と、を有することを特徴とする部分駆動型光源装置。」とあるのを、 
「複数の発光素子からなり、部分駆動可能な励起光源と、 
　前記励起光源と離隔して配置され、前記励起光源からの入射光の波長領域の少なくとも一部を変換して、前記入射光とは異なる波長領域の出射光を放出する蛍光体を含む蛍光体シートと、
　
前記複数の発光素子を格納するシャーシと、 
を有し、前記励起光源における前記複数の発光素子が前記シャーシの面上に配列されて前記シャーシ内に格納され、前記複数の発光素子が配列された前記シャーシの面は、前記蛍光体シートと平行に配置されており、 
　
前記励起光源の部分駆動の制御単位と前記蛍光体シートとの間の前記シャーシ内に、前記蛍光体シートからの前記出射光のうちの前記シャーシ側に向かう後方回帰光が進入する空間がある、部分駆動型光源装置であって、 
　前記励起光源及び前記蛍光体シートとの間に配置され、前記励起光源からの前記入射光の波長領域の少なくとも一部の光を透過するとともに、前記蛍光体シートからの前記出射光の波長領域の少なくとも一部の光を反射する波長選択性反射膜と、 
　前記励起光源及び前記波長選択性反射膜の間に位置する拡散板と、 
　前記蛍光体シートの上方に設けられた光学フィルム群と、を有
し、
　
前記蛍光体シートと波長選択性反射膜とが隣接して配置される、
ことを特徴とする部分駆動型光源装置。」に訂正する。  
　　
（２）訂正事項２
　特許請求の範囲の請求項３を削除する。
　
（３）訂正事項３
　特許請求の範囲の請求項５に 
「請求項１〜４のいずれか１項に記載の部分駆動型光源装置。」とあるのを、 
「請求項
１、２又は４
（４）訂正事項４
　特許請求の範囲の請求項６に 
「請求項１〜５のいずれか１項に記載の部分駆動型光源装置。」とあるのを、 
「請求項
１、２、４又は５
　
（５）訂正事項５
　特許請求の範囲の請求項８に 
「請求項１〜５のいずれか１項に記載の部分駆動型光源装置。」とあるのを、 
「請求項
１、２、４又は５
　
（６）訂正事項６
　特許請求の範囲の請求項１３に 
「請求項１〜１２のいずれか１項に記載の部分駆動型光源装置。」とあるのを、 
「請求項
１、２、４〜１２
　　
（７）訂正事項７
特許請求の範囲の請求項１６に 
「請求項１〜７のいずれか１項に記載の部分駆動型光源装置。」とあるのを、 
「請求項
１、２、４〜７
　　
（８）訂正事項８
　特許請求の範囲の請求項１７に 
「請求項１〜１６のいずれか１項に記載の部分駆動型光源装置を備えることを特徴とする画像表示装置。」とあるのを、 
「請求項
１、２、４〜１６
　   　
　本件訂正は、一群の請求項〔１〜１７〕に対して請求されたものである。
　  　
２　訂正の適否  
（１）訂正の目的の適否、新規事項の有無、及び特許請求の範囲の拡張・変更の有無  
ア　訂正事項１について
　訂正事項１による訂正は、訂正前の請求項１に記載した発明を特定するために必要な事項である「励起光源」、「蛍光体シート」及び「波長選択性反射膜」を備える「部分駆動型光源装置」について、本件特許の願書に添付した明細書（以下「本件明細書」という。また、本件明細書とともに特許請求の範囲及び図面を併せて「本件明細書等」という。）の「なお、
第１実施形態における発光素子１０
は、
リモートフォスファー方式に用いるものである
図１に既述のように、励起光源をシャーシ内部に設置することが一般的である。
＜発明例１＞ 図７（Ａ）、（Ｂ）に模式的に示す
シャーシ５１の側壁をスペーサーとし
光学部材を平行に設置するため、シャーシ５１の側壁をスペーサーとした。
前記蛍光体シートと前記波長選択性反射膜とが隣接して配置される
　したがって、訂正事項１による訂正は、本件明細書等に記載された事項の範囲内において、上記「部分駆動型光源装置」を限定したものといえるから、特許請求の範囲の減縮を目的とするものであって、新規事項の追加に該当するものではない。 
　また、訂正事項１は、訂正の前後で特許請求の範囲に記載された発明のカテゴリーや対象、目的を変更するものではないから、実質上特許請求の範囲を拡張し、又は変更するものでもない。 
 　  
イ　訂正事項２について
　訂正事項２は、特許請求の範囲の請求項３を削除するものであるから、特許請求の範囲の減縮を目的とするものであって、新規事項の追加に該当しない。
　また、発明のカテゴリーや対象、目的を変更するものではないから、実質上特許請求の範囲を拡張し、又は変更するものでもない。
  　
ウ　訂正事項３〜８について
　訂正事項３〜８は、訂正事項２によって請求項３が削除されたことに伴い、訂正前の請求項５、６、８、１３、１６及び１７における引用請求項において請求項３を引用しないようにするものであるから、明瞭でない記載の釈明を目的とするものであって、新規事項の追加に該当しない。
　また、発明のカテゴリーや対象、目的を変更するものではないから、実質上特許請求の範囲を拡張し、又は変更するものでもない。
（２）まとめ  
　以上のとおり、本件訂正は、特許法第１２０条の５第２項ただし書第１号及び第３号に掲げる事項を目的とするものであり、かつ、同条第９項において準用する同法第１２６条第５項及び第６項の規定に適合する。
　したがって、特許請求の範囲を、訂正請求書に添付された訂正特許請求の範囲のとおり、訂正後の請求項〔１〜１７〕について訂正することを認める。  
第３　本件発明  
　上記「第２」で述べたとおり、本件訂正は認められるので、本件特許の請求項１、２、４〜１７に係る発明（以下「本件発明１、２、４〜１７」という。）は、訂正特許請求の範囲の請求項１、２、４〜１７に記載された事項により特定される次のとおりのものである。  
　なお、請求項３は本件訂正により削除された。　
　
「【請求項１】
　複数の発光素子からなり、部分駆動可能な励起光源と、 
　前記励起光源と離隔して配置され、前記励起光源からの入射光の波長領域の少なくとも一部を変換して、前記入射光とは異なる波長領域の出射光を放出する蛍光体を含む蛍光体シートと、 
　前記複数の発光素子を格納するシャーシと、 
を有し、前記励起光源における前記複数の発光素子が前記シャーシの面上に配列されて前記シャーシ内に格納され、前記複数の発光素子が配列された前記シャーシの面は、前記蛍光体シートと平行に配置されており、 
　前記励起光源の部分駆動の制御単位と前記蛍光体シートとの間の前記シャーシ内に、前記蛍光体シートからの前記出射光のうちの前記シャーシ側に向かう後方回帰光が進入する空間がある、部分駆動型光源装置であって、 
　前記励起光源及び前記蛍光体シートとの間に配置され、前記励起光源からの前記入射光の波長領域の少なくとも一部の光を透過するとともに、前記蛍光体シートからの前記出射光の波長領域の少なくとも一部の光を反射する波長選択性反射膜と、 
　前記励起光源及び前記波長選択性反射膜の間に位置する拡散板と、 
　前記蛍光体シートの上方に設けられた光学フィルム群と、を有し、
　前記蛍光体シートと波長選択性反射膜とが隣接して配置される、
ことを特徴とする部分駆動型光源装置。 
【請求項２】 
　前記拡散板が、前記波長選択性反射膜及び前記蛍光体シートの支持体の少なくとも一部を兼ねる、請求項１に記載の部分駆動型光源装置。 
【請求項４】 
　前記蛍光体シートと前記波長選択性反射膜とが一体化している、請求項１または２に記載の部分駆動型光源装置。 
【請求項５】 
　前記励起光源における前記複数の発光素子が格子状に配列する、請求項１、２又は４のいずれか１項に記載の部分駆動型光源装置。 
【請求項６】 
　前記発光素子が青色ＬＥＤである、請求項１、２、４又は５のいずれか１項に記載の部分駆動型光源装置。 
【請求項７】 
　前記波長選択性反射膜は、前記青色ＬＥＤの発光波長領域の少なくとも一部を透過するとともに、緑色から赤色にかけての波長領域の少なくとも一部の光を反射する、請求項６に記載の部分駆動型光源装置。 
【請求項８】 
　前記発光素子がマゼンタＬＥＤである、請求項１、２、４又は５のいずれか１項に記載の部分駆動型光源装置。 
【請求項９】 
　前記マゼンタＬＥＤは、青色ＬＥＤと、該青色ＬＥＤのチップ上方面に配置された赤色蛍光体から構成される、請求項８に記載の部分駆動型光源装置。 
【請求項１０】 
　前記赤色蛍光体はフッ化物赤色発光蛍光体である、請求項９に記載の部分駆動型光源装置。 
【請求項１１】 
　前記フッ化物赤色発光蛍光体は、Ｋ２ＳｉＦ６である、請求項１０に記載の部分駆動型光源装置。 
【請求項１２】 
　前記波長選択性反射膜は、前記マゼンタＬＥＤの発光波長領域の少なくとも一部を透過するとともに、緑色の波長領域の少なくとも一部の光を反射する、請求項８〜１１のいずれか１項に記載の部分駆動型光源装置。 
【請求項１３】 
　前記蛍光体シートの前記蛍光体は、硫化物系蛍光体である、請求項１、２、４〜１２のいずれか１項に記載の部分駆動型光源装置。 
【請求項１４】 
　前記硫化物系蛍光体は、赤色硫化物蛍光体及び緑色硫化物蛍光体のうちの少なくともいずれかを含む、請求項１３に記載の部分駆動型光源装置。 
【請求項１５】 
　前記赤色硫化物蛍光体は、硫化カルシウム蛍光体であり、前記緑色硫化物蛍光体は、チオガレート蛍光体である、請求項１４に記載の部分駆動型光源装置。 
【請求項１６】 
　前記蛍光体シートの前記蛍光体は、イットリウムセリウムアルミニウムガーネット蛍光体である、請求項１、２、４〜７のいずれか１項に記載の部分駆動型光源装置。 
【請求項１７】 
　請求項１、２、４〜１６のいずれか１項に記載の部分駆動型光源装置を備えることを特徴とする画像表示装置。」　  
 　 
第４　取消理由通知に記載した取消理由について
１　取消理由の概要  
　訂正前の請求項１〜１７に係る特許に対して平成３０年９月１８日付けで特許権者に通知した取消理由（決定の予告）の概要は、次のとおりである。
 　 
　本件特許の請求項１〜１７に係る発明は、その出願前（優先日前）日本国内または外国において頒布された下記の刊行物に記載された発明に基いて、その出願前（優先日前）にその発明の属する技術の分野における通常の知識を有する者が容易に発明をすることができたものであって、特許法第２９条第２項の規定により特許を受けることができないから、その発明に係る特許は取り消すべきものである。 
　刊行物
　甲第１号証：国際公開第２００６／００７１０９号  
　甲第２号証：特開２０１５−３２３７３号公報  
　甲第３号証：特開２００５−２７７１２７号公報  
　甲第４号証：特開２０１３−６８７２８号公報  
　なお、甲第１〜４号証は、特許異議申立人が提出した甲第１〜４号証である。 
 　 
２　当審の判断  
２−１　各甲号証の記載事項等  
（１）甲第１号証の記載事項  
　甲第１号証には、以下の事項が記載されている。  
　なお、日本語訳は、甲第１号証のパテントファミリー文献である特表２００８−５０５４４１号公報（以下「公表公報」という。）を参考にして当審が作成した。  
（１ａ）１頁７行〜２頁２行  
「　　　　　　　　　　　　　　Background  
　White light sources that utilize light emitting diodes (LEDs) in their construction can have two basic configurations. In one, referred to herein as direct emissive LEDs,white light is generated by direct emission of different colored LEDs. Examples include a combination of a red LED, a green LED, and a blue LED, and a combination of a blue LED and a yellow LED. In another configuration, referred to herein as phosphor- converted LEDs (PCLEDs), a single LED generates light in a narrow range of wavelengths, which light impinges upon and excites a phosphor or other type of emissive material to produce light having different wavelengths than those generated by the LED. The phosphor can include a mixture or combination of distinct emissive materials, and the light emitted by the phosphor can include broad or narrow emission lines distributed over the visible wavelength range such that the emitted light appears substantially white to the unaided human eye.  
 　・・・  
　Advantages of white light PCLEDs over direct emission white LEDs include better color stability as a function of device aging and temperature, and better batch-to-batch and device-to-device color uniformity/repeatability. However, PCLEDs can be less efficient than direct emission LEDs, due in part to inefficiencies in the process of light absorption and re-emission by the phosphor.」  
「　　　　　　　　　　　　　　背景技術  
　構造内で発光ダイオード（ＬＥＤ）を利用する白色光源は２つの基本的構成を有することができる。本明細書で直接発光ＬＥＤと称するその１つにおいて、白色光は異なる色のＬＥＤの直接発光により生成される。一例には赤色ＬＥＤ、緑色ＬＥＤ、青色ＬＥＤの組合せ、青色ＬＥＤおよび黄色ＬＥＤの組合せがある。
本明細書で蛍光体変換ＬＥＤ（ＰＣＬＥＤ）と称する他の構成において、単一のＬＥＤは狭い波長範囲の光を発生し、その光は蛍光体または他のタイプの電子放出性物質に当たるとともに励起して、ＬＥＤにより生じたものとは異なる波長を有する光を生成する。
 ・・・  
　直接発光白色ＬＥＤを超える白色光ＰＣＬＥＤの利点には、デバイス経年劣化および温度の関数としてのより良好な色安定性、より良好なバッチ毎およびデバイス毎の色均一性／再現性がある。
しかしＰＣＬＥＤは、一部には蛍光体による光吸収および再発光のプロセスにおける非効率性のため、直接発光ＬＥＤより効率が低い恐れがある。
（１ｂ）２頁５〜２２行  
「The present disclosure provides illumination systems that utilize emissive materials and interference reflectors for filtering components. In some embodiments, the interference reflectors of the present disclosure may include multilayer optical films including individual optical layers, at least some of which are birefringent, arranged into optical repeat units through the thickness of the film. Adjacent optical layers have refractive index relationships that maintain reflectivity and avoid leakage of p-polarized light at moderate to high incidence angles.  
　In one aspect, the present disclosure provides an illumination system, including a light source that emits light having a first optical characteristic, and a light guide having an output surface, where the light guide is configured to direct at least a portion of the light emitted by the light source through the output surface. The system further includes emissive material positioned to receive light from the output surface of the light guide, where the emissive material emits light having a second optical characteristic when illuminated with light having the first optical characteristic. The system further includes a first interference reflector positioned between the output surface of the light guide and the emissive material, where the first interference reflector substantially transmits light having the first optical characteristic and substantially reflects light having the second optical characteristic.」  
「
本開示は電子放出性物質と成分をフィルタリングする干渉反射体とを用いた照明システムを提供する。
隣接の光学層は反射率を維持するとともに、中〜高入射角におけるｐ偏光の漏れを防止する屈折率関係を有する。
　一態様において本開示は、第１の光学特性を有する光を放出する光源と、出力面を有し、光源により放出された光の少なくとも一部分を出力面を介して向けるように構成された光導波路とを含む照明システムを提供する。システムは、光導波路の出力面からの光を受光するように配置され、第１の光学特性を有する光で照明されると第２の光学特性を有する光を放出する電子放出性物質をさらに含む。システムは、光導波路の出力面と電子放出性物質との間に配置され、
第１の光学特性を有する光を実質的に透過するとともに第２の光学特性を有する光を実質的に反射する第１の干渉反射体をさらに含む。
（１ｃ）５頁２６行〜６頁１５行 
「The present disclosure provides illumination systems that include a light source, one or more light guides, emissive material, and one or more interference reflectors. In some embodiments, the illumination systems provide white light for various applications. As used herein, the term white light refers to light that stimulates red, green, and blue sensors in the human eye to yield an appearance that an ordinary observer would consider white. Such light may be biased to the red (commonly referred to as warm white light) or to the blue (commonly referred to as cool white light). Further, such light can have a color rendering index of up to 100. In general, these illumination systems include a light source that emits light including a first optical characteristic. The systems of the present disclosure also include emissive material that emits light having a second optical characteristic when illuminated with light having the first optical characteristic. The first optical characteristic and second optical characteristic may be any suitable optical characteristic, e.g., wavelength, polarization, modulation, intensity, etc. For example, the first optical characteristic may include a first wavelength region, and the second optical characteristic may include a second wavelength region that is different than the first wavelength region. In one exemplary embodiment, the light source may emit light having a first optical characteristic, where the first optical characteristic includes a first wavelength region including UV light. In this illustrative embodiment, the UV light emitted by the light source illuminates emissive material, which cause such material to emit light having a second optical characteristic, where the second optical characteristic includes a second wavelength region including visible light.」 
「
本開示は光源と、１つまたは複数の光導波路と、電子放出性物質と、１つまたは複数の干渉反射体とを含む照明システムを提供する。
（１ｄ）１６頁２９行〜１７頁１２行  
「The emissive material 40 may be positioned in any suitable location between the first interference reflector 30 and the output surface 14 of the light guide 12. In some embodiments, the emissive material 40 may be positioned on the input surface 16 of the light guide 12. Alternatively, the emissive material 40 may be placed within the light guide 12. In other embodiments, the emissive material 40 may be dispersed within the light guide 12. In other embodiments, the emissive material 40 may be positioned on an output surface 32 of the first interference reflector 30. Any suitable technique may be used to position the emissive material 40 on the first interference reflector 30, e.g., those techniques described in co-owned and co-pending U.S. Patent Application Publication No. 2004-0116033 (Ouderkirk et al.). For example, the emissive material 40 can be disposed or coated on the first interference reflector 30. The emissive material 40 can be laminated, as a solid layer, adjacent the first interference reflector 30. In addition, the emissive material 40 and the first interference reflector 30 can be thermoformed sequentially or simultaneously. The emissive material 40 can be compressible, elastomeric, and can even be contained in a foamed structure.」  
「
電子放出性物質４０を第１の干渉反射体３０と光導波路１２の出力面１４との間の任意の適当な場所に配置し得る。
（１ｅ）１８頁１〜１３行 
「In general, the light source 20 emits light having a first optical characteristic, at least a portion of which illuminates the first interference reflector 30. In turn, the first interference reflector 30 substantially transmits the light from the light source 20. At least a portion of the transmitted light illuminates the emissive material 40. The emissive material 40 emits light having a second optical characteristic when illuminated with light having the first optical characteristic. Generally, the emissive material 40 may emit light in any direction. In other words, some light may be emitted back toward the light source 20, and some light may be emitted toward the light guide 12. Light emitted by the emissive material 40 that illuminates the first interference reflector 30 is substantially reflected such that the light does not reach the light source 20 where it can be absorbed. The light guide 12 directs at least a portion of the light emitted by the emissive material 40 through the output surface 14 where it can then be directed to a desired location using any suitable technique.」 
「一般に光源２０は第１の光学特性を有する光を放出し、その光の少なくとも一部分が第１の干渉反射体３０を照明する。そして第１の干渉反射体３０は光源２０からの光を実質的に透過する。透過光の少なくとも一部分は電子放出性物質４０を照明する。電子放出性物質４０は第１の光学特性を有する光で照明されると第２の光学特性を有する光を放出する。一般に電子放出性物質４０は光を任意の方向に放出し得る。換言すればある光は光源２０に向かって後方に放出され得るとともに、ある光は光導波路１２に向かって放出され得る。
電子放出性物質４０により放出された第１の干渉反射体３０を照明する光は実質的に反射されて、光が吸収され得る光源２０に到達しないようになっている。光導波路１２は電子放出性物質４０によって放出された光の少なくとも一部分を出力面１４を介して向け、そこで任意の適当な技術を用いて光を所望の場所に向けることができる。
（１ｆ）２０頁１５行〜２１頁９行 
「The illumination systems of the present disclosure may include one or more optical elements. For example, FIG. 3 schematically illustrates an illumination system 200 that includes one or more optical elements 260. The system 200 further includes a light guide 212 having an output surface 214 and an input surface 216, and a light source 220. The system 200 also includes a first interference reflector 230 positioned between the light source 220 and the output surface 214 of the light guide 212, and emissive material 240 positioned between the first interference reflector 230 and the output surface 214 of the light guide 212. All of the design considerations and possibilities described herein with respect to the light guide 12, the light source 20, the first interference reflector 30, and the emissive material 40 of the embodiment illustrated in FIG. 1 apply equally to the light guide 212, the light source 220, the first interference reflector 230, and the emissive material 240 of the embodiment illustrated in FIG. 3. The system 200 may also include one or more additional interference reflectors (e.g., a LP interference reflector) as is further described herein. 
　The one or more optical elements 260 may be positioned between the emissive material 240 and the output surface 214 of the light guide 212, between the light source220 and the first interference reflector 230, between the first interference reflector 230 and the emissive material 240 and/or adjacent the output surface 214 of the light guide 212. The one or more optical elements 260 can include any suitable optical element or elements, e.g., optical coupling agents such as adhesives or index matching fluids or gels, optical brightness enhancing films such as BEF (available from 3M Company), and short- wavelength absorbing materials such as ultraviolet light absorbing dyes and pigments, reflective polarizing films such as DBEF (also available from 3M Company), diffusers, and combinations thereof. In some embodiments, the one or more optical elements 260 are configured to control the angle of light emitted by the emissive material 240 that is directed into the light guide 212. 」 
「本開示の照明システムは１つまたは複数の光学素子を含み得る。例えば図３は１つまたは複数の光学素子２６０を含む照明システム２００を概略的に図示する。システム２００は出力面２１４と入力面２１６とを有する光導波路２１２と、光源２２０とをさらに含む。またシステム２００は光源２２０と光導波路２１２の出力面２１４との間に配置された第１の干渉反射体２３０と、第１の干渉反射体２３０と光導波路２１２の出力面２１４との間に配置された電子放出性物質２４０とを含む。図１に図示された実施形態の光導波路１２、光源２０、第１の干渉反射体３０、および電子放出性物質４０に対して本明細書に記載された設計上の考察および可能性のすべては、図３に図示された実施形態の光導波路２１２、光源２２０、第１の干渉反射体２３０および電子放出性物質２４０に同等に適用される。このシステム２００も、本明細書にさらに説明するように１つまたは複数の追加干渉反射体（例えばＬＰ干渉反射体）を含み得る。 
　
１つまたは複数の光学素子２６０を電子放出性物質２４０と光導波路２１２の出力面２１４との間、光源２２０と第１の干渉反射体２３０との間、第１の干渉反射体２３０と電子放出性物質２４０との間、および／または光導波路２１２の出力面２１４に隣接して配置し得る。
（１ｇ）４５頁１３行〜４７頁２９行 
「As previously mentioned herein, any suitable technique may be used to couple light from the light source 1320 into the light guides 1312. For example, FlG. 15 schematically illustrates another embodiment of an illumination system 1400 that includes light guides1412 including optical fibers 1413. ・・・ 
　Light source 1420 includes an array 1422 of LED dies 1424 that are positioned in optical alignment with an array of optical elements 1428, which can include passive optical elements, such as focusing lenses 1429 or optical concentrating elements, such as reflectors. The array of optical elements 1428 are in turn optically aligned to an array of optical fibers 1413.・・・ An aspect of the illustrated embodiment of FIG. 15 is the one- to-one correspondence between each light source 1412, a corresponding passive optical element of the array of optical elements 1428 (lens, focusing, concentrating, or reflective element), and a corresponding optical fiber 1413. When powered, each LED die 1424 acts as an individual light source that launches light into a corresponding fiber 1413.・・・
　In some embodiments, the LED dies 1424 may be independently controllable such that one or more LEDs 1424 can be selectively activated. For example, the system 1400 may include a controller (not shown) that is in electrical communication with each LED 1424. The controller is operable to selectively activate one or more LEDs 1424. Any suitable controller or controllers may be used, e.g., those described in co-owned and copending U.S. Patent Application Publication No. 2004-0149998 (Henson et al.). Such controllable output of the LEDs 1424 may be used in various types of applications, e.g., steerable headlamps for motor vehicles, pixilated displays, projection systems, signs, etc. 」 
「本明細書に前述したように、任意の適当な技術を用いて光源１３２０からの光を光導波路１３１２に結合し得る。例えば
図１５は光ファイバ１４１３を含む光導波路１４１２を含む照明システム１４００の他の実施形態を概略的に図示する。
　
光源１４２０は光学素子１４２８のアレイと光学的に位置合わせして配置されたＬＥＤダイ１４２４のアレイ１４２２を含み、光学素子１４２８は焦点合わせレンズ１４２９などの受動光学素子または反射体などの光学集光素子を含み得る。また光学素子１４２８のアレイは光ファイバ１４１３のアレイと光学的に位置合わせされている。
図１５の図示の実施形態の態様は各光源１４１２、光学素子（レンズ、焦点合わせ、集光または反射素子）のアレイ１４２８の対応する受動光学素子、および対応する光ファイバ１４１３との間で１対１対応である。通電されると各ＬＥＤダイ１４２４は対応するファイバ１４１３内に光を放つ個別光源として動作する。
　いくつかの実施形態において
ＬＥＤダイ１４２４は、１つまたは複数のＬＥＤ１４２４が選択的に起動できるように独立して制御可能であり得る。
このようなＬＥＤ１４２４の制御可能出力を様々なタイプの用途、例えば自動車用可動ヘッドランプ、画素化ディスプレイ、投射システム、標識等で用い得る。
（１ｈ）５１頁１行〜５２頁１行 
「What is claimed is:
1. An illumination system, comprising:  
　a light source that emits light comprising a first optical characteristic; 
　a light guide comprising an output surface, wherein the light guide is configured to direct at least a portion of the light emitted by the light source through the output surface;  
　emissive material positioned to receive light from the output surface of the light guide, wherein the emissive material emits light comprising a second optical characteristic when illuminated with light comprising the first optical characteristic; and 
　a first interference reflector positioned between the output surface of the light guide and the emissive material, wherein the first interference reflector substantially transmits light comprising the first optical characteristic and substantially reflects light comprising the second optical characteristic. 
2. The system of claim 1, wherein the first optical characteristic comprises a first wavelength region and the second optical characteristic comprises a second wavelength region different than the first wavelength region. 
 ・・・ 
8. The system of claim 1 , wherein the emissive material comprises phosphor material.」 
「特許請求の範囲
１
．第１の光学特性を含む光を放出する光源と、 
　
出力面を含む光導波路であって、前記光源により放出された前記光の少なくとも一部分を前記出力面に対して向けるように構成された光導波路と、 
　
前記光導波路の前記出力面からの光を受光するように配置されている電子放出性物質であって、前記第１の光学特性を含む光で照明されると第２の光学特性を含む光を放出する電子放出性物質と、 
　
前記光導波路の前記出力面と前記電子放出性物質との間に配置されている第１の干渉反射体であって、前記第１の光学特性を含む光を実質的に透過するとともに前記第２の光学特性を含む光を実質的に反射する第１の干渉反射体と、を含む照明システム。
２．前記第１の光学特性が第１の波長域を含むとともに、前記第２の光学特性が前記第１の波長域とは異なる第２の波長域を含む、請求項１に記載の照明システム。 
 ・・・ 
８．前記電子放出性物質が蛍光体材料を含む、請求項１に記載の照明システム。
 （１ｉ）甲第１号証には、以下の図が示されている。
  
　 
（２）甲第２号証の記載事項及び甲第２号証に記載された発明  
　甲第２号証には、以下の事項が記載されている。  
（２ａ）「【０００１】  
　
本開示は、面光源に好適な光源装置、および、その光源装置による照明光を用いて画像表示を行う表示装置に関する。 
 　・・・  
【０００４】 
　
上記したようなバックライトでは、面光源としての高いユニフォミティが求められている。例えば色むらや輝度むらの少ない均一な白色光が求められている。
【０００５】  
　本開示の目的は、
照明光の質を向上させることができるようにした光源装置、および表示装置を提供することにある。
（２ｂ）「【００１０】 
【図１】本開示の第１の実施の形態に係る光源装置の一構成例を示す断面図である。 
 　・・・ 
【００１２】 
＜１．第１の実施の形態＞ 
［１．１ 構成］ 
　図１は、本開示の第１の実施の形態に係る光源装置の一構成例を示している。図２は、この光源装置における光源２の面内配置の一例を示している。図３は、光源２およびその周囲の一構成例を示している。図４は、
この光源装置における波長変換シート３の一構成例を示している。この光源装置は、面光源として好適で、例えば直下方式のバックライトとして利用されるものである。
【００１３】  
　
この光源装置は、光源基板１と、複数の光源２と、波長変換部材としての波長変換シート３と、拡散部材４と、光学シート５と、反射部材としての反射シート６と、レジスト層７と、背面筐体
１０１と、中間筐体
１０２とを備えている。
【００１４】 
　
背面筐体１０１の底面には光源基板１が配置されている。背面筐体１０１は、周辺部が上側に折り曲げられた形状とされ、周辺部の端部には中間筐体１０２が取り付けられている。背面筐体１０１の周辺部は、中間筐体１０２の取り付け部よりも内側部分に平坦部が形成され、その平坦部に拡散部材４の周辺部が支持されている。拡散部材４の光出射面
側には波長変換シート３と、光学シート５とが配置されている。
【００１５】  
　
波長変換シート３は、複数の光源２に対向するように配置されている。拡散部材４は、波長変換シート３と複数の光源２との間に配置されている。拡散部材４は、入射した光の角度分布を均一化するためのものである。
【００１６】  
　
光学シート５は、波長変換シート３の光出射面
側に配置されている。光学シート５は
輝度を向上させるためのシートやフィルムで構成されている。
【００１７】  
　
光源基板１には、１または２以上の光源２ごとに独立した発光制御が可能となるように、
配線パターンが形成されている。これにより、複数の光源２の局所的な発光制御（ローカルディミング）が可能とされている。
 　・・・  
【００２２】  
　
光源２は、
光源基板１上において２次元的に配置されている。光源２は、
発光素子２１と、パッケージ２２と、封止材２３とを有している。
発光素子２１は、
ＬＥＤにより構成されている。
【００２３】  
　
波長変換シート３は、
波長変換物質３１を含んでいる。波長変換物質３１は、
蛍光体
を含んでおり、光源２からの光によって励起され、蛍光発光等の原理により、光源２からの光を原波長とは異なる別波長の光に波長変換し、これを放出するものである。
【００２４】  
　
光源２は例えば青色光源（例えば、波長４４０ｎｍ〜４６０ｎｍ）であり、波長変換物質３１は光源２の青色光を吸収して、その一部を赤色光（例えば、波長６２０ｎｍ〜７５０ｎｍ）、または緑色光（例えば、波長４９５ｎｍ〜５７０ｎｍ）に変換する。
 　・・・  
【００２７】  
　また、波長変換されなかった光ＬＢ２，ＬＢ３のうち一部は波長変換シート３から後方（基板１側）に向かう光（下向きの光ＬＢ１）となる。また、波長変換されなかった光ＬＢ２，ＬＢ３のうち前方に向かう光の一部はＤＢＥＦ等の光学シート５による回帰光となって、下向きの光ＬＢ１となる。下向きの光ＬＢ１は、光源基板１の表面（主として反射シート６）で反射されて再び波長変換シート３に向かい、一部が波長変換される。同様に、
波長変換された光ＬＹのうち下向きの光ＬＹ１は、光源基板１の表面で反射されて前方に向かう光となる。このように下向きの光
ＬＹ１は、光源基板１の表面で反射されて白色光を生成するためのリサイクル光となる。
従って、光源装置から出射される白色光の最終的な輝度は、リサイクル光も含めたもので成り立っている。 
 　・・・  
【００２９】 
　図６は、
複数の光源２の配置間隔Ｄが適当な間隔で最適化されていると共に、複数の光源２と波長変換シート３との距離Ｈが適当な値に最適化されている場合を示している。
 　・・・ 
【００３１】  
　
波長変換シート３の入光側に拡散部材４を配置することによって、上記した色むらの発生を抑制することができる。
【００３２】  
［１．３ 効果］  
　
以上のように、本実施の形態によれば、波長変換シート３と複数の光源２との間に拡散部材４を備えるようにしたので、色むらの発生を抑制し、照明光の質を向上させることができる。  
なお、本明細書に記載された効果はあくまでも例示であって限定されるものではなく、また他の効果があってもよい。」  
（２ｃ）「【００５３】 
＜２．第２の実施の形態＞ 
［２．１ 構成］ 
　図１９は、
第２の実施の形態に係る光源装置の一構成例を示している。本実施の形態に係る光源装置は、波長変換シート３と拡散部材４との間に、プリズムシート８を追加配置したこと以外、図１の構成と略同様である。 
 　・・・ 
【００５５】 
［２．２ 作用および効果］ 
　図２１は、プリズムシート８の作用を示している。
プリズムシート８は、
斜め成分Ｌ２が入射した場合、その光の角度を垂直方向または略垂直方向に立ち上げて出射させる。これにより、
局所的な発光制御（ローカルディミング）を行う場合の色むらの発生を抑制する。
 　・・・ 
【００５７】 
　一方、ローカルディミングを行う場合、複数の光源２において不点灯や微点灯の部分が生じ、複数の光源２のそれぞれの発光分布に差が生じる。この場合、波長変換シート３に入射する複数の光源２からのそれぞれの光（例えば青色光）の光路ごとに、強度差ができ、不点灯部や微点灯部が通常の点灯部に比べて例えば黄色に色づく色むらが生じてしまう。
また、ローカルディミングを行っている状態で通常の強度で発光している光源２の上方からは、波長変換シート３や光学シート５から後方（基板１側）に返ってくる光が反射シート６で拡散しながら反射して不点灯部分や微点灯部分の前方まで広がって再び波長変換シート３側に帰って来る。その帰って来た光は、再び波長変換シート３を通過して、例えば青色光の一部を使って（青光が減少して）緑色光や赤色光に変換される。このため、帰って来た光で作り出される波長変換シート３通過後の光は黄色味をおび、不点灯部や微点灯部の黄色い色づきをさらに強めてしまう。結果として、表示装置に適用した場合、ローカルディミングによる微点灯の輝度表示部分の画が黄色味を帯びて品位を損なってしまう。
【００５８】 
＜３．第３の実施の形態＞ 
［３．１ 構成および作用］ 
　図２２は、
第３の実施の形態に係る光源装置の一構成例を示している。本実施の形態に係る光源装置は、光源基板１上にカットフィルタ９を追加配置したこと以外、図１の構成と略同様である。
【００５９】 
　図２３は、カットフィルタ９の作用を示している。図５の構成の場合、光源２から発せられた光ＬＢのうち光源基板１側に帰ってくる下向きの光ＬＢ１が反射シート６で反射されて再び波長変換シート３に向かう。波長変換された光ＬＹのうち下向きの光ＬＹ１も同様に、反射シート６で反射されて再び波長変換シート３に向かう。一方、本実施の形態の構成では、図２３に示したように、
カットフィルタ９が配置されていることにより、波長変換された下向きの光ＬＹ１の反射が抑制される。
【００６０】 
　上記第２の実施の形態で説明したように、ローカルディミングを行う場合、複数の光源２において不点灯や微点灯の部分が生じることにより、不点灯部や微点灯部が通常の点灯部に比べて例えば黄色に色づく色むらが生じてしまう。本実施の形態によれば、
カットフィルタ９を配置することで、波長変換された下向きの光ＬＹ１（例えば黄色光）の反射が抑制されるので、リサイクル光として再利用される黄色光が減少する。これにより、黄色に色づく色むらの発生を抑制する。
（２ｄ）甲第２号証には、以下の図が示されている。  
　なお、図１中の「光源部材１」は、「光源基板１」の誤記と認める。  
 　
　以上のとおり、甲第２号証には、面光源に好適な光源装置に関する技術について開示されているところ（摘示（２ａ）【０００１】）、かかる光源装置の実施形態として、  
　光源装置は、光源基板１と、複数の光源２と、波長変換部材としての波長変換シート３と、拡散部材４と、光学シート５と、反射部材としての反射シート６と、レジスト層７と、背面筐体１０１と、中間筐体１０２とを備えること（摘示（２ｂ）【００１３】）、  
　前記背面筐体１０１の底面には光源基板１が配置され、背面筐体１０１は、周辺部が上側に折り曲げられた形状とされ、周辺部の端部には中間筐体１０２が取り付けられ、背面筐体１０１の周辺部は、中間筐体１０２の取り付け部よりも内側部分に平坦部が形成され、その平坦部に拡散部材４の周辺部が支持され、拡散部材４の光出射面側には波長変換シート３と、光学シート５とが配置されていること（摘示（２ｂ）【００１４】）、 
　前記光源基板１には、１または２以上の光源２ごとに独立した発光制御が可能となるように、配線パターンが形成され、これにより、複数の光源２の局所的な発光制御が可能とされていること（摘示（２ｂ）【００１７】）、
　前記光源２は、光源基板１上において２次元的に配置され、発光素子２１と、パッケージ２２と、封止材２３とを有しており、発光素子２１は、ＬＥＤにより構成されていること（摘示（２ｂ）【００２２】）、  
　前記波長変換シート３は、複数の光源２に対向するように配置されていること（摘示（２ｂ）【００１５】）、  
　前記波長変換シート３は、波長変換物質３１を含み、該波長変換物質３１は、蛍光体を含んでおり、光源２からの光によって励起され、光源２からの光を原波長とは異なる別波長の光に波長変換し、これを放出するものであること（摘示（２ｂ）【００２３】）、  
　前記拡散部材４は、波長変換シート３と複数の光源２との間に配置され、入射した光の角度分布を均一化するためのものであって、１枚の拡散板からなること（摘示（２ｂ）【００１５】）、  
　前記光学シート５は、波長変換シート３の光出射面側に配置され、輝度を向上させるためのシートやフィルムで構成されること（摘示（２ｂ）【００１６】）、が記載されている。  
　また、図１（摘示（２ｄ））より、光学シート５は、２層からなり群をなすこと、及び、背面筐体１０１の底面は、波長変換シート３と平行に配置されていることが看取できる。  
 　  
　したがって、甲第２号証には、以下の発明（以下「甲２発明」という。）が記載されていると認められる。  
「光源装置であって、 　
　前記光源装置は、光源基板１と、複数の光源２と、波長変換部材としての波長変換シート３と、拡散部材４と、光学シート５と、反射部材としての反射シート６と、レジスト層７と、背面筐体１０１と、中間筐体１０２とを備え、  
　前記背面筐体１０１の底面には光源基板１が配置され、背面筐体１０１は、周辺部が上側に折り曲げられた形状とされ、周辺部の端部には中間筐体１０２が取り付けられ、背面筐体１０１の周辺部は、中間筐体１０２の取り付け部よりも内側部分に平坦部が形成され、その平坦部に拡散部材４の周辺部が支持され、拡散部材４の光出射面側には波長変換シート３と、光学シート５とが配置され、 
　前記光源基板１には、１または２以上の光源２ごとに独立した発光制御が可能となるように、配線パターンが形成され、これにより、複数の光源２の局所的な発光制御が可能とされ、  
　前記光源２は、光源基板１上において２次元的に配置され、発光素子２１と、パッケージ２２と、封止材２３とを有しており、発光素子２１は、ＬＥＤにより構成され、  
　前記波長変換シート３は、複数の光源２に対向するように配置され、  
前記波長変換シート３は、波長変換物質３１を含み、該波長変換物質３１は、蛍光体を含んでおり、光源２からの光によって励起され、光源２からの光を原波長とは異なる別波長の光に波長変換し、これを放出するものであり、
　前記拡散部材４は、波長変換シート３と複数の光源２との間に配置され、入射した光の角度分布を均一化するためのものであって、１枚の拡散板からなり、  
　前記光学シート５は、波長変換シート３の光出射面側に配置され、輝度を向上させるためのシートやフィルムで構成され、２層からなり群をなし、 
前記背面筐体１０１の底面は、波長変換シート３と平行に配置されている、光源装置。」  
 　 
（３）甲第３号証の記載事項  
　甲第３号証には次の記載がある。  
（３ａ）「【０００１】  
　
本発明は、発光ダイオード（以下、ＬＥＤ）に関する。
【背景技術】  
【０００２】  
　
近年、青色ＬＥＤにＹＡＧ：Ｃｅ等黄色蛍光体を組合せ、単一のチップで白色光を発する、いわゆる白色ＬＥＤに注目が集まっている
（３ｂ）「【００１７】  
　図１は、本発明による発光デバイスの構成例の一つを示したものである。図１は
、励起光源として青色ＬＥＤチップ（３）を用い
 　・・・  
【００３０】  
　なお、
励起光源周辺に赤色蛍光体（６）を予め配置し、その後、緑色蛍光体（７）を含む層を配置した透明シートをキャビティー開口部に接着しても同様の効果が得られる（図４）。
 　・・・  
【００３４】  
　ガラスエポキシ基板と高反射率樹脂とで形成されたキャビティー部に、バインダー樹脂であるエポキシ樹脂に
チオガレート系緑色蛍光体
硫化カルシウム系赤色蛍光体
（３ｃ）甲第３号証には、以下の図が示されている。  
  
 （４）甲第４号証の記載事項  
　甲第４号証には次の記載がある。  
（４ａ）「【０００７】  
　
本発明は、波長変換部材を用いた光源を高輝度化し得る波長変換部材
を提供することを主な目的とする。
（４ｂ）「【００２６】  
　なお、
無機蛍光体は、光源から出射させようとする光の波長や、発光体から出射される励起光の波長などに応じて適宜選択することができる。
 　・・・  
【００２９】  
　波長４４０〜４８０ｎｍの青色の励起光を照射すると緑色の可視光（波長が５００ｎｍ〜５４０ｎｍの蛍光）を発する
無機蛍光体粉末としては、・
などが挙げられる。
 　・・・  
【００３１】  
　波長４４０〜４８０ｎｍの青色の励起光を照射すると黄色の可視光（波長が５４０ｎｍ〜５９５ｎｍの蛍光）を発する
無機蛍光体粉末としては、Ｙ
３
（Ａｌ，Ｇｄ）
５
Ｏ
１２
：Ｃｅ
２＋
が挙げられる。
 　・・・  
【００３３】  
　波長４４０〜４８０ｎｍの青色の励起光を照射すると赤色の可視光（波長が６００ｎｍ〜７００ｎｍの蛍光）を発する無機蛍光体粉末としては、・・・Ｋ２ＳｉＦ６：Ｍｎ４＋・・・、ＣａＳ：Ｅｕ２＋・・・などが挙げられる。」
  　  
２−２　対比・判断  
（１）本件発明１に対して  
ア　対比  
　本件発明１と甲２発明とを対比する。  
（ア）甲２発明の「ＬＥＤにより構成され」る「発光素子２１」は、本件発明１の「発光素子」に相当する。  
　本件明細書の「バックライトの点灯領域を分割制御する技術、いわゆる部分駆動・・・技術が実用化されてきた。」（【０００４】）との記載によれば、「部分駆動」とは、バックライトの点灯領域を分割制御する技術と理解することができる。  
　ここで、甲２発明の「光源装置」は、例えば直下方式のバックライトとして利用されるものであり（摘示（２ｂ）【００１２】）、また、甲２発明の「複数の光源２」は、「１または２以上の光源２ごとに独立した発光制御が可能」であって、「複数の光源２の局所的な発光制御が可能」であるから、その点灯領域は分割制御が可能であって、いわゆる部分駆動が可能な構成ということができる。さらに、甲２発明において、「光源２からの光」は、「波長変換物質３１を含」む「波長変換シート３」により、「励起され、光源２からの光を原波長とは異なる別波長の光に波長変換」され「放出」されることになるから、上記「複数の光源２」は、励起光源ということもできる。
　したがって、甲２発明の「複数の光源２」は、本件発明１の「複数の発光素子からなり、部分駆動可能な励起光源」に相当するものといえる。  
（イ）甲２発明の「光源２からの光」の「原波長」は、本件発明１の「励起光源からの入射光の波長領域」に相当する。  
　甲２発明の「波長変換シート３」から「放出」される「原波長とは異なる別波長の光」は、本件発明１の「前記入射光とは異なる波長領域の出射光」に相当する。  
　そして、甲２発明の「波長変換部材としての波長変換シート３」は、「複数の光源２に対向するように配置され」、光源２と離隔して配置されていることが明らかであって、さらに、「波長変換物質３１を含み、該波長変換物質３１は、蛍光体を含んでおり、光源２からの光によって励起され、光源２からの光を原波長とは異なる別波長の光に波長変換し、これを放出するものであ」るから、上記（ア）の相当関係をも踏まえると、本件発明１の「前記励起光源と離隔して配置され、前記励起光源からの入射光の波長領域の少なくとも一部を変換して、前記入射光とは異なる波長領域の出射光を放出する蛍光体を含む蛍光体シート」に相当するものといえる。  
（ウ）甲２発明の「背面筐体１０１」は、「周辺部が上側に折り曲げられた形状とされ」、「前記背面筐体１０１の底面には光源基板１が配置され」るものである。 
　ここで、上記「周辺部」の「周辺」とは、字義的に「あるものをとりまく、まわりの部分。中心から離れたところ。周囲。」（広辞苑第６版）を意味するから、甲２発明の「背面筐体１０１の底面」に「配置され」た「光源基板１」は、「背面筐体１０１」の「上側に折り曲げられた形状とされ」る「周辺部」によって、取り囲まれた状態で配設される、言い換えれば、背面筐体１０１によって格納された状態で配設される、と理解することができる。
　また、甲２発明は、「光源基板１上に」、「光源２」が「２次元的に配置され」るものであって、上記「光源２」は、「発光素子２１」を「有して」構成されるものであるから、上記「背面筐体１０１」は、複数の発光素子２１を格納する、ということもできる。 
　してみると、甲２発明の「背面筐体１０１」は、上記（ア）の相当関係をも踏まえると、本件発明１の「前記複数の発光素子を格納するシャーシ」に相当するものといえる。 
（エ）甲２発明は、「前記背面筐体１０１の底面には光源基板１が配置され、背面筐体１０１は、周辺部が上側に折り曲げられた形状とされ」、「前記光源２は、光源基板１上において２次元的に配置され、発光素子２１と、パッケージ２２と、封止材２３とを有しており、発光素子２１は、ＬＥＤにより構成され」るものであるところ、かかる構成は、上記（ア）及び（ウ）の相当関係をも踏まえると、本件発明１の「前記励起光源における前記複数の発光素子が前記シャーシの面上に配列されて前記シャーシ内に格納され」という構成に相当するものといえる。 
（オ）甲２発明は、「前記光源２は、光源基板１上において２次元的に配置され、発光素子２１と、パッケージ２２と、封止材２３とを有しており、発光素子２１は、ＬＥＤにより構成され」、「前記背面筐体１０１の底面には光源基板１が配置され」るものであるから、複数の発光素子２１が背面筐体１０１の底面に配列されることは明らかであり、さらに、上記「前記背面筐体１０１の底面」が、面をなすことも明らかである。 
　してみると、甲２発明の「前記背面筐体１０１の底面は、波長変換シート３と平行に配置されている」という構成は、上記（ア）〜（ウ）の相当関係をも踏まえると、本件発明１の「前記複数の発光素子が配列された前記シャーシの面は、前記蛍光体シートと平行に配置されており」という構成に相当するものといえる。 
（カ）甲２発明は、「前記背面筐体１０１の底面には光源基板１が配置され、背面筐体１０１は、周辺部が上側に折り曲げられた形状とされ」、「背面筐体１０１の周辺部」は、「平坦部が形成され、その平坦部に拡散部材４の周辺部が支持され、拡散部材４の光出射面（表面）側には波長変換シート３と、光学シート５とが配置され」るものであるところ、甲第２号証には、「ローカルディミングを行っている状態で通常の強度で発光している光源２の上方からは、波長変換シート３・・・から後方（基板１側）に返ってくる光が反射シート６で拡散しながら反射して不点灯部分や微点灯部分の前方まで広がって再び波長変換シート３側に帰って来る。」（摘示（２ｃ）【００５７】）と記載されているから、甲２発明の「周辺部が上側に折り曲げられた形状とされ」た「背面筐体１０１」に、波長変換シート３から後方（基板１側）に返ってくる光が進入する空間が存在することは技術的に明らかであり、さらに、上記後方に返ってくる光が波長変換シート３からの出射光のうちの背面筐体１０１側に向かう後方回帰光をなすことも明らかである。 
　また、甲２発明は、「前記光源基板１には、１または２以上の光源２ごとに独立した発光制御が可能となるように、配線パターンが形成され、これにより、複数の光源２の局所的な発光制御が可能とされ」るものであるから、上記空間は、「独立した発光制御が可能となる」「光源２」と、「波長変換シート３」との間の「背面筐体１０１」内に存在することも明らかである。
　してみると、甲２発明における上記空間を有する「背面筐体１０１」の構成は、上記（ア）〜（ウ）の相当関係をも踏まえると、本件発明１の「前記励起光源の部分駆動の制御単位と前記蛍光体シートとの間の前記シャーシ内に、前記蛍光体シートからの前記出射光のうちの前記シャーシ側に向かう後方回帰光が進入する空間がある」という構成に相当するものといえる。 
（キ）甲２発明の「入射した光の角度分布を均一化するためのものであって、１枚の拡散板からな」る「拡散部材４」は、本件発明１の「拡散板」に相当する。 
（ク）甲２発明の「光学シート５」は、「波長変換シート３の光出射面側に配置され」るものであり、上記光出射面側とは、図１（摘示（２ｄ））に照らして、波長変換シート３の上方ということができ、さらに、上記「光学シート５」は、「輝度を向上させるためのシートやフィルムで構成され、２層からなり群をなす」ものであるから、光学フィルム群ということもできる。
　してみると、甲２発明の「光学シート５」は、本件発明１の「前記蛍光体シートの上方に設けられた光学フィルム群」に相当するものといえる。  
（ケ）甲２発明の「光源装置」は、上記（ア）で述べたとおり、部分駆動が可能な構成ということができるから、本件発明１の「部分駆動型光源装置」に相当するものといえる。  
 　  
　以上によれば、本件発明１と甲２発明とは、  
「複数の発光素子からなり、部分駆動可能な励起光源と、  
　前記励起光源と離隔して配置され、前記励起光源からの入射光の波長領域の少なくとも一部を変換して、前記入射光とは異なる波長領域の出射光を放出する蛍光体を含む蛍光体シートと、  
　前記複数の発光素子を格納するシャーシと、 
を有し、前記励起光源における前記複数の発光素子が前記シャーシの面上に配列されて前記シャーシ内に格納され、前記複数の発光素子が配列された前記シャーシの面は、前記蛍光体シートと平行に配置されており、 
　前記励起光源の部分駆動の制御単位と前記蛍光体シートとの間の前記シャーシ内に、前記蛍光体シートからの前記出射光のうちの前記シャーシ側に向かう後方回帰光が進入する空間がある、部分駆動型光源装置であって、 
　拡散板と、  
　前記蛍光体シートの上方に設けられた光学フィルム群と、を有する部分駆動型光源装置。」の点で一致し、以下の点で相違する。  
 　 　  
＜相違点１＞  
　本件発明１は、「前記励起光源及び前記蛍光体シートとの間に配置され、前記励起光源からの前記入射光の波長領域の少なくとも一部の光を透過するとともに、前記蛍光体シートからの前記出射光の波長領域の少なくとも一部の光を反射する波長選択性反射膜」を有するものであって、かかる「波長選択性反射膜」の配設に関連し、拡散板は「前記励起光源及び前記波長選択性反射膜の間に位置する」ものであり、また、「前記蛍光体シートと波長選択性反射膜とが隣接して配置される」ものであるのに対し、甲２発明は、波長選択性反射膜を有するものではなく、拡散板は「波長変換シート３と複数の光源２との間に配置され」るものである点。  
 　　  
イ　判断  
　上記相違点１について検討する。  
（ア）甲２発明の技術課題等 
ａ　甲２発明は、「面光源に好適な光源装置」に関するものであって（摘示（２ａ）【０００１】）、「照明光の質を向上させ」ること、より具体的には、「色むらや輝度むらの少ない均一な白色光」を得ることを技術課題とするものである（摘示（２ａ）【０００４】〜【０００５】）。  
ｂ　また、甲第２号証には、「波長変換された光ＬＹのうち下向きの光ＬＹ１は、光源基板１の表面で反射されて前方に向かう光となる。このように下向きの光ＬＢ１，ＬＹ１は、光源基板１の表面で反射されて白色光を生成するためのリサイクル光となる。・・・従って、光源装置から出射される白色光の最終的な輝度は、リサイクル光も含めたもので成り立っている。」（摘示（２ｂ）【００２７】）と記載されているから、甲２発明は、波長変換シート３で波長変換された下向きの光ＬＹ１をリサイクル光として利用し、そのようなリサイクル光をも含めて光源装置の輝度設計がなされることが明らかである。 
ｃ　さらに、甲第２号証には、「また、ローカルディミングを行っている状態で通常の強度で発光している光源２の上方からは、波長変換シート３や光学シート５から後方（基板１側）に返ってくる光が反射シート６で拡散しながら反射して不点灯部分や微点灯部分の前方まで広がって再び波長変換シート３側に帰って来る。その帰って来た光は、再び波長変換シート３を通過して、例えば青色光の一部を使って（青光が減少して）緑色光や赤色光に変換される。このため、帰って来た光で作り出される波長変換シート３通過後の光は黄色味をおび、不点灯部や微点灯部の黄色い色づきをさらに強めてしまう。結果として、表示装置に適用した場合、ローカルディミングによる微点灯の輝度表示部分の画が黄色味を帯びて品位を損なってしまう。」（摘示（２ｃ）【００５７】）と記載されているから、甲２発明は、ローカルディミング時において、波長変換シート３から後方（基板１側）に返ってくる光が反射シート６で拡散しながら反射して不点灯部分や微点灯部分の前方まで広がって再び波長変換シート３側に帰って来ることで、不点灯部や微点灯部の黄色い色づきをさらに強めてしまい、その結果、輝度表示部分の画が黄色味を帯びて品位を損なってしまう、との技術課題が内在していることも明らかである。 
（イ）検討 
　以上を踏まえて検討する。 
ａ　甲第２号証には、甲２発明に内在する上記技術課題（上記（ア）ｃ）を、例えば、「波長変換シート３と拡散部材４との間に、プリズムシート８を追加配置」すること（摘示（２ｃ）【００５３】）、あるいは、「光源基板１上にカットフィルタ９を追加配置」すること（摘示（２ｃ）【００５８】）、で解決することが記載されている。
　しかし、上記「プリズムシート８」は、波長変換シート３に入射する斜め成分Ｌ２の入射光を、垂直方向または略垂直方向に立ち上げて出射させることで色むらの発生を抑制するものであり（摘示（２ｃ）【００５５】）、また、上記「カットフィルタ９」は、波長変換された下向きの光ＬＹ１の反射を抑制することで色むらの発生を抑制するというものであり（摘示（２ｃ）【００５９】〜【００６０】）、いずれの技術も、励起光源からの入射光の波長領域の少なくとも一部の光を透過するとともに、蛍光体シートからの出射光の波長領域の少なくとも一部の光を反射する波長選択性反射膜を用いるものではない。
　したがって、甲２発明に、上記「プリズムシート８」や「カットフィルタ９」を採用しても、上記相違点１に係る本件発明１に至るものではい。
ｂ　ここで、甲第１号証には、「照明システム」を構成するに際し、蛍光体による光吸収および再発光のプロセスにおける非効率性のため、直接発光ＬＥＤより効率が低いという問題を（摘示（１ａ））、第１の光学特性を有する光を実質的に透過するとともに第２の光学特性を有する光を実質的に反射する「干渉反射体」を追加配置することにより解決すること（摘示（１ｂ））、より具体的には、「照明システム」を、「光源と、１つまたは複数の光導波路と、電子放出性物質と、１つまたは複数の干渉反射体とを含む」ものとして構成すること（摘示（１ｃ））、「電子放出性物質４０を第１の干渉反射体３０と光導波路１２の出力面１４との間の任意の適当な場所に配置し得る」こと（摘示（１ｄ））、「電子放出性物質４０により放出された第１の干渉反射体３０を照明する光は実質的に反射されて、光が吸収され得る光源２０に到達しないようになっている。光導波路１２は電子放出性物質４０によって放出された光の少なくとも一部分を出力面１４を介して向け、そこで任意の適当な技術を用いて光を所望の場所に向けることができる」こと（摘示（１ｅ））、「１つまたは複数の光学素子２６０を電子放出性物質２４０と光導波路２１２の出力面２１４との間、光源２２０と第１の干渉反射体２３０との間、第１の干渉反射体２３０と電子放出性物質２４０との間、および／または光導波路２１２の出力面２１４に隣接して配置し得る」こと（摘示（１ｆ））、及び、「照明システム」を「・・・光源と、・・・光導波路と、・・・電子放出性物質と、・・・第１の干渉反射体と、を含む」ものとして構成すること（摘示（１ｈ））、が記載されているが、上記「干渉反射体」は、あくまでも、照明システムの発光効率を企図して配置されるものであって、ローカルディミング時の色付きの課題を解決するために配置されたものではない。
ｃ　また、甲第１号証に記載された「照明システム」は、上記ｂのとおり、「光源」、「電子放出性物質」及び「干渉反射体」に加え、「光導波路」をも用いて構成されるものであり、それら各構成要素が相互に技術的関連性をもった一体不可分な技術として認識されるべきであるから、「光導波路」の存在しない甲２発明に、甲第１号証に記載された「干渉反射体」を追加配置すべき合理性もない。
　したがって、甲２発明において、なお内在する技術課題（上記（ア）ｃ）を解決するために、甲第１号証に記載された技術を適用する動機付けが存在する、とまでいうことはできない。
ｄ　ところで特許異議申立人は、平成３１年１月１６日付けの意見書で、「甲第２号証の［０００２］には、『バックライトの方式には、直下方式とエッジライト方式とがある。』と開示されている。その上で、［００１２］には、『この光源装置は、面光源として好適で、例えば直下方式のバックライトとして利用されるものである。』と開示されている。これらの開示から明らかであるように、甲２発明は、
光源装置の一例として直下方式のバックライトが使用可能であることを開示しているのであり
甲２発明において、光源装置を『直下方式のバックライト』と置換可能であることを疑義なく理解することができる。
このような理解によれば、当業者は、甲１発明および甲２発明において、上記光源装置には、動機付けを判断する要素である『（４）作用、機能の共通性』が存在すると認められる
　しかし、上記ｂで述べたとおり、甲第１号証に記載された「干渉反射体」は、そもそもローカルディミング時の色付きの課題を解決するために配置されたものではないから、甲２発明において、なお内在するローカルディミング時の色付きの課題（上記（ア）ｃ）を解決するために、甲第１号証に記載された技術を適用する動機付けが存在するものということはできないし、さらに、上記ｃで述べたとおり、甲第１号証に記載された「照明システム」は、「光源」、「電子放出性物質」、「干渉反射体」及び「光導波路」が相互に技術的関連性をもった一体不可分な技術として認識されるべきであって、「光導波路」の存在しない甲２発明に、甲第１号証に記載された「干渉反射体」を追加配置すべき合理性もないから、「動機付けを判断する要素である『（４）作用、機能の共通性』が存在すると認められる」ということもできない。
　したがって、特許異議申立人の上記主張は採用できない。
ｅ　よって、上記相違点１に係る本件発明１の構成が当業者にとって容易想到であるということはできない。
  なお、甲第３号証（摘示（３ａ）〜（３ｃ））及び甲第４号証（摘示（４ａ）、（４ｂ））は、本件発明８〜１６に関する周知技術を例示するものであり、上記相違点１に係る本件発明１の構成に関する技術を開示するものではない。
　　
ウ　小括  
　以上のとおりであるから、本件発明１は、甲２発明、甲第１号証に記載された技術事項に基いて当業者が容易に発明をすることができたものということはできない。  
 　　 
（２）本件発明２、４〜１７について  
　本件発明２、４〜１７は、本件発明１の発明特定事項を全て含み、さらに限定して発明を特定したものであるから、本件発明１と同様に、当業者が容易に発明をすることができたとはいえない。
　
第５　取消理由通知において採用しなかった特許異議申立理由について
１　本件取消理由において採用しなかった特許異議申立理由の要旨は、次のとおりである。
（１）申立理由１（特許法第２９条第１項第３号）
　請求項１、３〜７、１７に係る発明は、甲第１号証に記載された発明であるから、特許法第２９条第１項第３号に該当し特許を受けることができない。したがって、上記請求項１、３〜７、１７に係る特許は、同法第２９条の規定に違反してされたものであるから、同法第１１３条第２号の規定により取り消すべきものである。
（２）申立理由２（特許法第２９条第２項）
　請求項１、３〜７、１７に係る発明は、甲第１号証に記載された発明に基いて、請求項２に係る発明は、甲第１号証に記載された発明及び甲第２号証に記載された発明に基いて、請求項８、９に係る発明は、甲第１号証に記載された発明及び周知技術（甲第３号証）に基いて、請求項１０〜１６に係る発明は、甲第１号証に記載された発明及び周知技術（甲第３、４号証）に基いて、その出願前にその発明の属する技術の分野における通常の知識を有する者が容易に発明をすることができたものであって、特許法第２９条第２項の規定により特許を受けることができない。したがって、上記請求項１〜１７に係る特許は、特許法第２９条の規定に違反してされたものであるから、同法第１１３条第２号の規定により取り消すべきものである。
　　
２　検討
（１）申立理由１（特許法第２９条第１項第３号）について
（１−１）甲第１号証に記載された発明
　甲第１号証には、上記「第４　２　２−１（１）」のとおり記載されており、その特許請求の範囲の請求項１、２、８の記載（摘示（１ｈ））及び図１５（摘示（１ｉ））に示される照明システムの実施形態（摘示（１ｇ））によれば、以下の発明（以下「甲１発明」という。）が記載されていると認められる。 
「第１の光学特性を含む光を放出する光源１４２０と、 
　出力面を含む光導波路１４１２であって、前記光源１４２０により放出された前記光の少なくとも一部分を前記出力面に対して向けるように構成された光導波路１４１２と、 
　前記光導波路１４１２の前記出力面からの光を受光するように配置されている電子放出性物質１４４０であって、前記第１の光学特性を含む光で照明されると第２の光学特性を含む光を放出する電子放出性物質１４４０と、 
　前記光導波路１４１２の前記出力面と前記電子放出性物質１４４０との間に配置されている第１の干渉反射体１４３０であって、前記第１の光学特性を含む光を実質的に透過するとともに前記第２の光学特性を含む光を実質的に反射する第１の干渉反射体１４３０と、 
　を含む照明システム１４００であって、 
　前記第１の光学特性が第１の波長域を含むとともに、前記第２の光学特性が前記第１の波長域とは異なる第２の波長域を含み、 
　前記電子放出性物質１４４０が蛍光体材料を含み、 
　前記光源１４２０は光学素子１４２８のアレイと光学的に位置合わせして配置されたＬＥＤダイ１４２４のアレイ１４２２を含み、光学素子１４２８は焦点合わせレンズ１４２９などの受動光学素子または反射体などの光学集光素子を含み、 
　前記ＬＥＤダイ１４２４は、１つまたは複数のＬＥＤ１４２４が選択的に起動できるように独立して制御可能である、照明システム。」　  
　
（１−２）対比・判断  
（１−２−１）本件発明１に対して 
ア　対比
　本件発明１と甲１発明とを対比する。  
（ア） 
ａ　甲１発明の「複数のＬＥＤ１４２４」は、本件発明１の「複数の発光素子」に相当する。 
ｂ　本件明細書の「バックライトの点灯領域を分割制御する技術、いわゆる部分駆動・・・技術が実用化されてきた。」（段落【０００４】）との記載によれば、「部分駆動」とは、バックライトの点灯領域を分割制御する技術と理解することができる。 
　ここで、甲１発明の「光源１４２０」は、「ＬＥＤダイ１４２４のアレイ１４２２を含み」、「前記ＬＥＤダイ１４２４は、１つまたは複数のＬＥＤ１４２４が選択的に起動できるように独立して制御可能である」から、その点灯領域は分割制御が可能であって、いわゆる部分駆動が可能な構成ということができる。 
　さらに、甲１発明において、「光源１４２０」からの「第１の光学特性を含む光」は、「蛍光体材料を含」む「電子放出性物質１４４０」により、「第２の光学特性を含む光」として「放出」されることになるから、上記「光源１４２０」は、励起光源ということもできる。 
　してみると、甲１発明の「光源１４２０」は、本件発明１の「複数の発光素子からなり、部分駆動可能な励起光源」に相当するものといえる。 
（イ） 
ａ　甲１発明の「光源１４２０」は、「第１の光学特性を含む光を放出する」ものであるから、かかる「第１の光学特性を含む光」の「第１の波長域」は、本件発明１の「励起光源からの入射光の波長領域」に相当する。 
ｂ　甲１発明の「前記第１の波長域とは異なる第２の波長域を含」む「第２の光学特性を含む光」は、本件発明１の「前記入射光とは異なる波長領域の出射光」に相当する。 
ｃ　そして、甲１発明の「電子放出性物質１４４０」は、「前記光導波路１４１２の前記出力面からの光を受光するように配置され」、光源１４２０と離隔して配置されていることが明らかであって、さらに、「蛍光体材料を含み」、「前記第１の光学特性を含む光で照明されると第２の光学特性を含む光を放出する」ものであるから、上記（ア）の相当関係をも踏まえると、本件発明１の「前記励起光源と離隔して配置され、前記励起光源からの入射光の波長領域の少なくとも一部を変換して、前記入射光とは異なる波長領域の出射光を放出する蛍光体を含む蛍光体シート」とは、「前記励起光源と離隔して配置され、前記励起光源からの入射光の波長領域の少なくとも一部を変換して、前記入射光とは異なる波長領域の出射光を放出する蛍光体を含む蛍光体構造」の限度で共通するものといえる。 
（ウ） 
　甲１発明の「第１の干渉反射体１４３０」は、「前記光導波路１４１２の前記出力面と前記電子放出性物質１４４０との間に配置され」るものであるから、光源１４２０及び電子放出性物質１４４０との間に配置されていることも明らかである。さらに、上記「第１の干渉反射体１４３０」は、「前記第１の光学特性を含む光を実質的に透過するとともに前記第２の光学特性を含む光を実質的に反射する」ものであるから、上記（ア）（イ）の相当関係をも踏まえると、本件発明１の「前記励起光源及び前記蛍光体シートとの間に配置され、前記励起光源からの前記入射光の波長領域の少なくとも一部の光を透過するとともに、前記蛍光体シートからの前記出射光の波長領域の少なくとも一部の光を反射する波長選択性反射膜」とは、「前記励起光源及び前記蛍光体構造との間に配置され、前記励起光源からの前記入射光の波長領域の少なくとも一部の光を透過するとともに、前記蛍光体構造からの前記出射光の波長領域の少なくとも一部の光を反射する波長選択性反射構造」の限度で共通するものといえる。 
 （エ） 
　甲１発明の「照明システム」は、上記（ア）ｂで述べたとおり、部分駆動が可能な構成ということができるから、本件発明１の「部分駆動型光源装置」に相当するものといえる。 
 　  
 　以上によれば、本件発明１と甲１発明とは、  
「複数の発光素子からなり、部分駆動可能な励起光源と、 
　前記励起光源と離隔して配置され、前記励起光源からの入射光の波長領域の少なくとも一部を変換して、前記入射光とは異なる波長領域の出射光を放出する蛍光体を含む蛍光体構造と、 
　前記励起光源及び前記蛍光体構造との間に配置され、前記励起光源からの前記入射光の波長領域の少なくとも一部の光を透過するとともに、前記蛍光体構造からの前記出射光の波長領域の少なくとも一部の光を反射する波長選択性反射構造と、を有する部分駆動型光源装置。」の点で一致し、以下の点で相違する。  
 　 　  
＜相違点Ａ＞  
「蛍光体構造」について、本件発明１は「蛍光体シート」であるのに対し、甲１発明は「電子放出性物質１４４０」である点。 
＜相違点Ｂ＞
　本件発明１は、「前記複数の発光素子を格納するシャーシ」「を有し」、「前記励起光源における前記複数の発光素子が前記シャーシの面上に配列されて前記シャーシ内に格納され、前記複数の発光素子が配列された前記シャーシの面は、前記蛍光体シートと平行に配置されており、前記励起光源の部分駆動の制御単位と前記蛍光体シートとの間の前記シャーシ内に、前記蛍光体シートからの前記出射光のうちの前記シャーシ側に向かう後方回帰光が進入する空間がある」ものであるのに対し、甲１発明は、そのようなシャーシを具備するものではない点。
＜相違点Ｃ＞  
「波長選択性反射構造」について、本件発明１は「波長選択性反射膜」であるのに対し、甲１発明は「第１の干渉反射体１４３０」である点。 
＜相違点Ｄ＞ 
　本件発明１は、「前記励起光源及び前記波長選択性反射膜の間に位置する拡散板と、前記蛍光体シートの上方に設けられた光学フィルム群と」を有するものであるのに対し、甲１発明は、そのように特定されていない点。 
 　　 
イ　判断  
　上記アで述べたとおり、本件発明１と甲１発明とは、上記相違点Ａ〜Ｄで相違するものであるから、本件発明１は、甲第１号証に記載された発明である、ということはできない。
　
（１−２−２）本件発明４〜７、１７に対して
　本件発明４〜７、１７は、本件発明１の発明特定事項を全て含み、さらに限定して発明を特定したものであるから、本件発明１と同様に、本件発明４〜７、１７は、甲第１号証に記載された発明である、ということはできない。
      　
（１−３）小括
　以上のとおり、本件発明１、４〜７、１７は、甲第１号証に記載された発明である、ということはできないから、特許法第２９条第１項第３号に規定する発明に該当しない。
　したがって、申立理由１によっては、本件請求項１、４〜７、１７に係る特許を取り消すことはできない。
　
（２）申立理由２（特許法第２９条第２項）について
（２−１）本件発明１について
ア　甲１発明は、上記「（１）（１−１）」で述べたとおりであり、また、本件発明１と甲１発明との一致点及び相違点は、上記「（１）（１−２）（１−２−１）ア」で述べたとおりであるので、以下、上記相違点の容易想到性について以下検討する。
　
イ　検討
　事案に鑑み、上記相違点Ｂについて検討する。
（ア）甲１発明は、「第１の光学特性を含む光を放出する光源１４２０と、出力面を含む光導波路１４１２であって、前記光源１４２０により放出された前記光の少なくとも一部分を前記出力面に対して向けるように構成された光導波路１４１２と」を有するものであって、「前記光源１４２０は光学素子１４２８のアレイと光学的に位置合わせして配置されたＬＥＤダイ１４２４のアレイ１４２２を含み、光学素子１４２８は焦点合わせレンズ１４２９などの受動光学素子または反射体などの光学集光素子を含み、前記ＬＥＤダイ１４２４は、１つまたは複数のＬＥＤ１４２４が選択的に起動できるように独立して制御可能である」ものとして構成されるものである。
　さらに、甲第１号証には、「図１５は光ファイバ１４１３を含む光導波路１４１２を含む照明システム１４００の他の実施形態を概略的に図示する。・・・また光学素子１４２８のアレイは光ファイバ１４１３のアレイと光学的に位置合わせされている。・・・図１５の図示の実施形態の態様は各光源１４１２、光学素子（レンズ、焦点合わせ、集光または反射素子）のアレイ１４２８の対応する受動光学素子、および対応する光ファイバ１４１３との間で１対１対応である。通電されると各ＬＥＤダイ１４２４は対応するファイバ１４１３内に光を放つ個別光源として動作する。」（摘示（１ｇ））と記載されているから、甲１発明の「複数のＬＥＤ１４２４」のそれぞれは、１対１対応の関係にて「光導波路１４１２」を構成する各光ファイバ１４１３と位置合わせされることも明らかである。
　したがって、甲１発明において、「光源１４２０」と「光導波路１４１２」とは、それら構成要素が技術的に密接に関連付けられて配設されたものというべきであるから、そのような配設構造のものにおいて、上記相違点Ｂに係る「シャーシ」を配する余地はない。要するに、甲１発明は、「１つまたは複数のＬＥＤ１４２４が選択的に起動できるように独立して制御可能である」ことを前提として、「光導波路１４１２」を用いて「前記光源１４２０により放出された前記光の少なくとも一部分を前記出力面に対して向けるように構成」し、「前記光導波路１４１２の前記出力面からの光を受光するように」「電子放出性物質１４４０」を「配置」しているのであるから、「電子放出性物質１４４０」からの後方回帰光を進入させるような空間を有する構成とすべきものではなく、むしろそのような空間を設けることには阻害要因があるというべきである。
（イ）ところで特許異議申立人は、平成３０年８月９日付けの意見書で、上記相違点Ｂにかかる本件発明１の構成に関し、甲第１号証の図１５は、甲１発明の一態様に過ぎず、図１５は光源１３２０と光導波路１３１２との結合を説明する「任意の適当な技術」の一例に過ぎないものであり、また、甲第１号証には、図１に光源２０、干渉反射体３０、電子放出性物質４０がこの順に、かつ、それぞれ空間を設けて配置されていることが開示され、同様の構成は図２〜４、１４にも開示されているから、甲１発明においても後方回帰光が進入する空間は存在し、複数の発光素子を部分的に駆動するときの、暗部となるべき部分への色つきは発生しないとは言えない、旨主張する（４頁１３行〜５頁８行）。
　しかし、甲第１号証の図１〜４、１４に記載された構造は、甲１発明のように「１つまたは複数のＬＥＤ１４２４が選択的に起動できるように独立して制御可能である」ことを前提とした構成のものではないから、そもそも、複数の発光素子を部分的に駆動するときの暗部となるべき部分への色つき発生は存在しない。これについて補足すれば、図１〜４に記載された構造は、光源、干渉反射体、電子放出性物質がこの順に配置されているものの、上記電子放放出性物質から出力された光は、入力面と出力面とを有する光導波路にて導出されるものであるから、甲１発明のように、「１つまたは複数のＬＥＤ１４２４が選択的に起動できるように独立して制御可能である」ことが予定される構成のものではない。
　また、甲第１号証には、図１４に記載された構造が、甲１発明のように「１つまたは複数のＬＥＤ１４２４が選択的に起動できるように独立して制御可能である」ものとして構成されることは記載されていないし、仮にそのように構成しても、図１４に示される光源１３２０から発せられた光は、複数の光ファイバ１３１３を含む光導波路１３１２にて導出されるものであって、その配設態様は甲１発明と変わるものではないから、上記（ア）で述べたとおり、上記相違点Ｂに係る「シャーシ」を配する余地はなく、むしろ阻害要因があるというべきである。
　したがって、特許異議申立人の上記主張は採用できない。
（ウ）小括
　以上のとおり、本件発明１は甲１発明と上記相違点Ａ〜Ｄにおいて相違するものであるところ、少なくとも相違点Ｂに係る本件発明１の構成は容易想到とはいえないものであるから、その余の相違点Ａ、Ｃ及びＤを検討するまでもなく、本件発明１は当業者が容易に発明をすることができたものとはいえない。
　　
（２−２）本件発明２、４〜１７について  
　本件発明２、４〜１７は、本件発明１の発明特定事項を全て含み、さらに限定して発明を特定したものであるから、本件発明１と同様に、当業者が容易に発明をすることができたとはいえない。
　
第５　むすび 
　以上のとおりであるから、本件取消理由通知に記載した取消理由及び特許異議申立書に記載した申立理由によっては、本件請求項１、２、４〜１７に係る特許を取り消すことはできないし、他に本件請求項１、２、４〜１７に係る特許を取り消すべき理由を発見しない。 
　また、本件請求項３に係る特許は、訂正により削除されたため、本件特許の請求項３に対して、異議申立人がした特許異議の申立てについては、対象となる請求項が存在しない。
　よって、結論のとおり決定する。
【異議決定日】
平成３１年３月２２日（２０１９．３．２２）
【訂正の要旨】
審決（決定）の【理由】欄参照。
（５７）【特許請求の範囲】
　【請求項１】
　複数の発光素子からなり、部分駆動可能な励起光源と、
　前記励起光源と離隔して配置され、前記励起光源からの入射光の波長領域の少なくとも一部を変換して、前記入射光とは異なる波長領域の出射光を放出する蛍光体を含む蛍光体シートと、
　
前記複数の発光素子を格納するシャーシと、
を有し、前記励起光源における前記複数の発光素子が前記シャーシの面上に配列されて前記シャーシ内に格納され、前記複数の発光素子が配列された前記シャーシの面は、前記蛍光体シートと平行に配置されており、
　
前記励起光源の部分駆動の制御単位と前記蛍光体シートとの間の前記シャーシ内に、前記蛍光体シートからの前記出射光のうちの前記シャーシ側に向かう後方回帰光が進入する空間がある、部分駆動型光源装置であって、
　前記励起光源及び前記蛍光体シートとの間に配置され、前記励起光源からの前記入射光の波長領域の少なくとも一部の光を透過するとともに、前記蛍光体シートからの前記出射光の波長領域の少なくとも一部の光を反射する波長選択性反射膜と、
　前記励起光源及び前記波長選択性反射膜の間に位置する拡散板と、
　前記蛍光体シートの上方に設けられた光学フィルム群と、を有
し、
　
前記蛍光体シートと波長選択性反射膜とが隣接して配置される、
ことを特徴とする部分駆動型光源装置。
　【請求項２】
　前記拡散板が、前記波長選択性反射膜及び前記蛍光体シートの支持体の少なくとも一部を兼ねる、請求項１に記載の部分駆動型光源装置。
　【請求項３】
　（削除）
　【請求項４】
　前記蛍光体シートと前記波長選択性反射膜とが一体化している、請求項１または２に記載の部分駆動型光源装置。
　【請求項５】
　前記励起光源における前記複数の発光素子が格子状に配列する、請求項
１、２又は４
　【請求項６】
　前記発光素子が青色ＬＥＤである、請求項
１、２、４又は５
　【請求項７】
　前記波長選択性反射膜は、前記青色ＬＥＤの発光波長領域の少なくとも一部を透過するとともに、緑色から赤色にかけての波長領域の少なくとも一部の光を反射する、請求項６に記載の部分駆動型光源装置。
　【請求項８】
　前記発光素子がマゼンタＬＥＤである、請求項
１、２、４又は５
　【請求項９】
　前記マゼンタＬＥＤは、青色ＬＥＤと、該青色ＬＥＤのチップ上方面に配置された赤色蛍光体から構成される、請求項８に記載の部分駆動型光源装置。
　【請求項１０】
　前記赤色蛍光体はフッ化物赤色発光蛍光体である、請求項９に記載の部分駆動型光源装置。
　【請求項１１】
　前記フッ化物赤色発光蛍光体は、Ｋ２ＳｉＦ６である、請求項１０に記載の部分駆動型光源装置。
　【請求項１２】
　前記波長選択性反射膜は、前記マゼンタＬＥＤの発光波長領域の少なくとも一部を透過するとともに、緑色の波長領域の少なくとも一部の光を反射する、請求項８〜１１のいずれか１項に記載の部分駆動型光源装置。
　【請求項１３】
　前記蛍光体シートの前記蛍光体は、硫化物系蛍光体である、請求項
１、２、４〜１２
　【請求項１４】
　前記硫化物系蛍光体は、赤色硫化物蛍光体及び緑色硫化物蛍光体のうちの少なくともいずれかを含む、請求項１３に記載の部分駆動型光源装置。
　【請求項１５】
　前記赤色硫化物蛍光体は、硫化カルシウム蛍光体であり、前記緑色硫化物蛍光体は、チオガレート蛍光体である、請求項１４に記載の部分駆動型光源装置。
　【請求項１６】
　前記蛍光体シートの前記蛍光体は、イットリウムセリウムアルミニウムガーネット蛍光体である、請求項
１、２、４〜７
　【請求項１７】
　請求項
１、２、４〜１６